(57)【要約】本発明は、半導体チップ（１）が、フレキシブルなチップ支持体（６）上に取付けられ、前記チップ支持体における第１の主要面には、前記半導体チップ（１）の電気的な接続のための導体路（３，５）が形成され、さらにケーシングフレーム（７）が配置され、該ケーシングフレーム（７）はビーム透過性の媒体、特に充填材料で充填されている、半導体チップ（１）を備えた光電的な構成素子に関している。さらに本発明は、表示装置、照明またはバックライト照明装置および本発明による構成素子の製造のための方法に関している。
2004507114.tif 000002
【特許請求の範囲】
【請求項１】
半導体チップ（１）を備えた光電的な構成素子において、
前記半導体チップ（１）は、フレキシブルなチップ支持体（６）上に取付けられており、前記チップ支持体における第１の主要面には、前記半導体チップ（１）の電気的な接続のための導体路（３，５）が形成されており、さらにケーシングフレーム（７）が配置され、該ケーシングフレーム（７）はビーム透過性の媒体、特に充填材料で充填されていることを特徴とする構成素子。
【請求項２】
前記半導体チップは、発光ダイオードチップ（１）である、請求項１記載の構成素子。
【請求項３】
前記ケーシングフレーム（７）の内面は、反射器として形成されており、該反射器は、半導体チップ（１）から側方に照射された電磁ビームを照射方向（９）に偏向させ、および／または構成素子の外方から入射した、当該半導体チップ（１）によって受信すべき電磁ビームをこの方向に偏向させる、請求項２記載の構成素子。
【請求項４】
チップ支持体（６）の第１の主要面とは反対側の第２の主要面に、障害波を遮断するための遮蔽層が形成されている、請求項１から３いずれか１項記載の構成素子。
【請求項５】
前記充填材料は蛍光性材料および／または拡散性材料を含んでいる、請求項１から４いずれか１項記載の構成素子。
【請求項６】
複数の貫通孔部を備えた支持体要素（１９）が設けられており、さらに複数の構成素子がそれぞれチップ支持体（６）と共に支持体要素（１９）の構成素子側に固定され、この固定においてケーシングフレーム（７）がそれぞれ複数の貫通孔部（２０）のうちの１つの中に突出するかそれを突き出るように構成されていることを特徴とする、請求項２から５に記載の構成素子を複数個備えたモジュール。
【請求項７】
前記支持体要素（１９）は、フレキシブルに構成されている、請求項６記載のモジュール。
【請求項８】
前記支持体要素（１９）上に電気的な線路構造部が、構成素子の電気的な接続のために形成されている、請求項６または７記載のモジュール。
【請求項９】
支持体要素（１９）の照射側表面が、ビーム吸収性に構成され、特に黒色化されていることを特徴とする、請求項６から８に記載のモジュールを備えた光学的表示装置。
【請求項１０】
支持体要素（１９）の照射側表面が、拡散的にかつ反射的に構成され、特に白色化されていることを特徴とする、請求項６から８に記載のモジュールを備えた照明装置ないしバックライト照明装置。
【請求項１１】
支持体要素（１９）の照射側表面に続けて制御プレート（２２）が配設されている、請求項１０記載の照明装置ないしバックライト照明装置。
【請求項１２】
観察側とは反対の側に、請求項１０または１１記載の装置が設けられていることを特徴とする、液晶表示装置。
【請求項１３】
請求項１から５に記載の複数の構成素子を製造しパッケージングするための方法において、
ａ）チップ支持体シートベルトを供給し、
ｂ）前記チップ支持体シードベルト上でそれぞれ１つの半導体チップ（１）に対して複数の導体路対（３，５）を形成し、
ｃ）チップ支持体シートベルトにおける、半導体チップ（１）または個々の構成素子からなる半導体チップ装置が特に射出成形ないしトランスファー成形を用いて設けられる各箇所において、それぞれ１つのケーシングフレーム（７）を形成し、
ｄ）複数の半導体チップ（１）を前記チップ支持体シートベルトに取付け、
ｅ）前記ケーシングフレーム（７）によって形成されるビーム窓を充填材（１０）によって少なくとも部分的に充填するようにしたことを特徴とする方法。
【請求項１４】
前記チップ支持体シートベルトを、取付けられカプセル化された半導体チップと共に、表面実装可能な複数の構成素子を有するパッケージ単位にまとめて巻き上げる、請求項１３記載の方法。
【発明の詳細な説明】
【０００１】
本発明は、半導体チップを備えた光電素子、特にプリント基板切欠部への組付け用の表面実装可能な光電素子に関している。また本発明は、そのような複数の光電素子を製造するための方法並びにそのような複数の光電素子を備えたモジュールに関しており、さらにそのようなモジュールを備えた表示装置並びに照明装置ないしバックライト照明装置に関している。
【０００２】
発光ダイオード素子のような光電素子（オプトエレクトロニクス構成素子）は、典型的にはいわゆるラジアル構造形式（これは差込式でプリント基板に固定される）か、表面実装可能な構造形式で提供される。これに対しては、例えば公知文献“Ｆ．Ｍｏｅｌｌｍｅｒ， Ｇ． Ｗａｉｔｌ， ＳＩＥＭＥＮＳ ＳＭＴ−ＴＯＰＬＥＤ ｆｕｅｒ ｄｉｅ Ｏｂｅｒｆｌａｅｃｈｅｎｍｏｎｔａｇｅ， Ｓｉｅｍｅｎｓ Ｃｏｍｐｏｎｅｎｔｓ ２９（１９９１） Ｈｅｆｔ ４， Ｐ１４７−１４９”が参照される。この２つの構造形式は、技術的に著しく高いコストをかけないとプリント基板切欠部または貫通部への配設ができない。
【０００３】
本発明の課題は、特に、光電素子の構造形式に改良を加えて、構造的に僅かな高さが実現されるようにし、プリント基板切欠部や貫通部への位置付けが容易にできるように改善を行うことである。
【０００４】
前記課題は、請求項１の特徴部分に記載された本発明による光電素子によって解決される。請求項６には、本発明による光電素子を複数個備えた有利なモジュールが記載されている。そのようなモジュールを備えた有利な光学的表示装置とそのようなモジュールを備えた照明装置ないしバックライト装置は、請求項９ないし１０の対象である。本発明による複数の構成素子の有利な製造方法は、請求項１３の対象である。
【０００５】
フレキシブルなチップ支持体上の導体路の形成によって、このフレキシブルなチップ支持体自体が構成素子の１つの要素となり、これは同時に構成素子の有利にはパッケージにも用いられ得る。
【０００６】
有利にはこの種の構成素子は、実装装置にフレキシブルな支持体、例えばパッケージベルトで提供されるのではなく、フレキシブルなチップ支持体がフレキシブルなチップ支持体の分割に相応して構成素子内で切断され、そのようにして得られた構成素子がプリント基板上に載置される。セパレート式のパッケージベルトは、有利には本発明による構造形式のもとでは不要である。
【０００７】
有利な実施形態によれば、フレキシブルなチップ支持体はプラスチック性のシートないしフォイルである。
【０００８】
別の有利な実施形態によれば、前記半導体チップが発光ダイオードチップである。これはフレキシブルなチップ支持体上に形成されたケーシングフレームの中心に配置されている。それによりその構造高さが僅かな光源が得られ、これは特に移動体無線機器内の導体路切欠部で、例えばキーボードやディスプレイのバックライトとして用いるのに適している。
【０００９】
前述した請求項に係わる対象のさらに別の有利な実施例や改善例はさらなる従属請求項にも記載されている。
【００１０】
以下の明細書では、本発明の有利な実施例およびその利点を図１から図６に基づいて詳細に説明する。これらの図面のうち、
図１は、本発明による発光ダイオード素子の平面図を概略的に示した図であり、
図２は、図１の発光ダイオード素子の断面図を概略的に示した図であり、
図３は、本発明による発光ダイオード素子の別の実施例の平面図を概略的に示した図であり、
図４は、図３による発光ダイオード素子の断面図を概略的に示した図であり、
図５は、複数の本発明による構成素子を備えたモジュールを概略的に示した図であり、
図６は、複数の本発明による構成素子を備えたバックライト装置を有する液晶表示装置の断面図を概略的に示した図である。
【００１１】
実施例の説明
次に本発明を図面に基づき以下の明細書では詳細に説明する。なおこれらの図面中、同じ構成部あるいは機能の同じ構成部には、それぞれ共通の同じ参照符号を付している。
【００１２】
図１と図２に示されている構成素子は、例えば発光ダイオード素子であり、これらはビームを発光する半導体チップ１を有している。この半導体チップ１は、さらにビームを発光する活性層２を含んでいる。この活性層２の下側で、当該半導体チップ１は第１のコンタクト層３と導電的に接続される。半導体チップ１の上側は、ボンディングワイヤ４を介して第２のコンタクト層５に接続されている。これらの第１のコンタクト層３と第２のコンタクト層５は、例えばメタルシートで形成され、これがフレキシブルなチップ支持体シート６上に被着されている。
【００１３】
２つの電気的な接続面を上側に有する、代替的な半導体チップの場合では、その２つの接続面が例えばボンディングワイヤを用いてコンタクト層３，５に接続される。この場合の半導体チップも同じように２つのコンタクト面３と５のうちの一方に固定されてもよいし、これらの２つのコンタクト面３と５の間に固定されてもよい。
【００１４】
半導体チップ１は、漏斗形状で反射的に形成された内側８を有する環状の反射フレーム７の中心におかれている。それによってこの反射フレーム７は、半導体チップ１から側方に発光されたビームも照射方向９に偏向させるような配置となる。
【００１５】
反射フレーム７で取囲まれている内部空間は、透明な充填材１０で充填される。その中には発光性の顔料が埋込まれていてもよい。それにより、半導体チップ１から送出されたビームの少なくとも一部が吸収され、この吸収されたビームとは別の波長のビームが再発光されるようになる。
【００１６】
図３と図４には、図１と図２に基づいて説明した発光ダイオード素子の変化実施例が示されている。この変化実施例では半導体チップ１が、傾斜した第１のコンタクト層３と第２のコンタクト層５の側面で固定されている。このケースでは活性層２がチップ支持体シート６に対して直角の関係におかれている。この配置構成の利点は、半導体チップ１をコンタクト層に固定するためのボンディングワイヤが不要になることである。しかしながら欠点としてはいずれにせよ、活性層２の１つの面がチップ支持体シート６によって覆われてしまう。さらに半導体チップ１の上側と下側が少なくとも部分的に、当該半導体チップ１の第１のコンタクト層３と第２のコンタクト層５への固定に用いられている材料に覆われてしまう。それ故に、図１及び図２に示されている実施例に比べれば、図３及び図４による発光ダイオードでの発光量の方が劣る。
【００１７】
チップ支持体シート６に対する材料として特に対象となるのは、耐熱性があって金属被覆可能なプラスチックシートである。例えばチップ支持体シート６は、エポキシ樹脂をベースにしたチップ支持体シートであってもよいし、ポリイミドやポリエステル、例えばポリエチレンナフサラートで形成されていてもよい。反射フレーム７の材質としては、特に温度安定性が高くて光学的な反射性を備えた材料、例えばポリ−フタラミド（ＰＰＡ）、液晶ポリマー（ＬＣＰ）、ポリ−エーテル−エーテル−ケトン（ＰＥＥＫ）などが適している。これら以外にも温度安定性と光学的反射性を備えている限りはさらに別の熱可塑性材料ないし熱塑性樹脂が対象に挙げられる。この種の熱可塑性材料は、例えばＴｉＯ２などの顔料が埋込まれることによって非常に高い反射性を有するようになる。
【００１８】
これらの材料は、次のように選択される。すなわち反射フレーム７がチップ支持体シート６上に付着されるように選択される。この反射フレーム７とチップ支持体シート６の間の接続を向上させるためには、チップ支持体シート６において少なくとも１つの貫通部または切欠部を設けその中に反射フレーム７のホルダピン１１を係合させてもよい。
【００１９】
充填材１０の材料としては、オプトエレクトロニクス半導体素子の製造に慣用的な反応性樹脂、例えばエポキシ樹脂やシリコン樹脂、アクリル酸樹脂等の化合物が用いられてもよい。
【００２０】
蛍光物質としては、セリウムドーピングされたイットリウムアルミニウムガーネットをベースにした顔料、例えば（Ｙ１−ｘ−ｙＧｄｘＴｂｙ）３Ａｌ５Ｏ１２　： Ｃｅ，（０≦ｘ≦１，０≦ｙ≦１，ｘ＋ｙ≦１）が適している。
【００２１】
さらに付加的な発光物質として、充填剤１０内には、さらなる拡散材料、例えば二酸化チタン、過酸化バリウム、二酸化ジルコニウム、三酸化ジアルミニウムなどが存在する。これらの拡散材料は、有利には光ビームの均質な形成にも寄与する。ビームの変換が何も行われないのではなく、送出されたビームの分散のみが行われるべき場合には、それに対して充填剤１０内には拡散材料だけで発光物質は何も含まれるべきでない。
【００２２】
発光ダイオードの製造に対しては、有利にはまずチップ支持体シートのベルト上に金属箔が被着され、引続きフォトレジスト層が積層される。このフォトレジスト層は、露光され、それに続いてこのフォトレジスト層と金属箔がそれ自体公知のエッチング処理によって構造化される。それにより複数のコンタクト層の対３，５が得られる。さらにこのフォトレジスト層の残りが除去され、反射フレーム７がチップ支持体シートベルト上に例えば射出成形またはトランスファー成形などを用いて被着される。チップ支持体シート６への反射フレーム７の固定は、当該の貫通孔部内で反射フレーム７のピン１１の係合によって行われる。
【００２３】
反射フレームの射出成形もしくはトランスファー成形の代わりに、事前に形成された反射フレーム７をチップ支持体シート６に単に差込んで取付けたりおよび／または接着したりすることも考えられる。
【００２４】
その後では、半導体チップ１の各々がチップ支持体シートベルト上に載置される。この半導体チップ１のそれぞれのボンディングと、チップ１上側コンタクトとコンタクト層５の間のワイヤ接続の形成の後では、対応する反射フレーム７の内部空間が充填材１０で充填される。チップ支持体シート６は、最終的に折り込まれたり巻かれたりして、取扱いのし易い発光ダイオードパッケージング単位が得られる。
【００２５】
前述した手法に変えて、それぞれの反射フレーム７を、対応する半導体チップ１のチップ支持体シート６への取付けの後で初めて被着させることも可能である。
【００２６】
図１から図４に示されている実施例では、チップ支持体シート６がベルト状に構成されており、その場合半導体チップ１はチップ支持体シート６上に整列されている。さらにそれに加えてチップ支持体シート６は、発光ダイオードチップの複数の列が相互にスペースを見つけられるように広めに選択されてもよい。
【００２７】
その他にも複数の半導体チップ１を唯一の反射フレーム７内に配置し、そのようにすることで特に異なった色に発光するもしくは混合色の光を送出する複数の発光ダイオード素子を得ることも可能である。
【００２８】
さらに本発明による構造のもとではより簡単に、チップ支持体シート６の裏側にも金属被覆層ないし金属被覆構造部を特に平坦に設けてもよい。それらは高周波が用いられた場合の障害波のシールドに用いられる。
【００２９】
ここで述べた構造形態は、比較的僅かな所要スペースの点と、プリント基板貫通孔内へのほぼ完全な埋込みが可能である点で傑出している。さらにフレキシブルなチップ支持体シート６は何の問題もなく異なる空間の所要性への適合化が可能である。さらにチップ支持体シート６は一般に薄く構成されているので、発光ダイオードは、一般的に僅かな構造高さしか有さない。それ故に非常にフラットな構成素子が得られる。
【００３０】
さらなる利点は、チップ支持体シート６と反射フレーム７が、同じかもしくは非常に類似した熱膨張係数を有する材料から製造可能なことである。それにより、熱サイクルのもとでの発光ダイオードの信頼性が非常に高くなる。
【００３１】
さらに、チップ支持体シート６を用いて製造された発光ダイオード素子がパッケージングと輸送に対して特別なパッケージングベルトをもはや必要としないことである。弾性的なチップ支持体シートは、有利には、（リードフレーム技法で必要とされるような）パッケージングベルトの役割も完全に果たし得る。
【００３２】
このチップ支持体シートベルトは、有利には、構成素子の取付けの直前に、所望の個別構成素子へ、もしくは複数の構成素子からなる構成素子群へ切断される。
【００３３】
このように形成された発光ダイオード素子を例えば移動体無線機器のキーボードバックライトに使用する場合には、このチップ支持体シートを移動無線機器毎の取付けラインに分けて、予定している発光ダイオード群を一緒に移動無線機器内へ挿入することも可能である。合目的なやり方としてこの種の適用方法のもとでは既に発光ダイオードチップの駆動制御に必要な回路がチップ支持体シート６上に形成されている。
【００３４】
本発明による方法は、前記説明では発光ダイオードに基づいて説明してきたが、しかしながらその他の半導体チップを前述したような形式でパッケージングして適用処理することも可能である。
【００３５】
図５には、本発明による複数の構成素子を備えたモジュールが示されている。支持体要素１９，例えば基板内には、複数の貫通孔部２０が形成されている。さらにこの支持体要素１９は、照射側２１を有している。
【００３６】
支持体１９の照射側２１とは反対側には複数の本発明によるビーム発行素子が固定されており、この場合ビーム発光素子のそれぞれ１つのケーシングフレーム７が、貫通孔部の１つの内部に突出し、当該貫通孔部２０を通って照射方向２４に延在している。
【００３７】
それぞれのチップ支持体６は、構成素子の電気的な導体路３，５と共に照射側２１とは反対側の支持体要素１９表面に載置される。これらの構成素子の固定には、接着剤が用いられてもよいし、ろう付けされてもよい。有利には扁平に構成されたチップ支持体６に基づいて、水平方向と垂直方向の所要スペースが従来技法による構成素子のものよりも明らかに少なくなる。特に本発明は、少なくとも部分的に埋め込まれる構成素子の取り付けが可能である。
【００３８】
フレキシブルに構成されたチップ支持体６に基づいて、この構成素子はケーシング上またはそこにある発光チップに障害的な緊張を強いることなく、緊張や変形を弾性的もしくは場合によって塑性的に補足するのに十分にフレキシブルである。この取付け配置構成は、特に密にパッケージングされたフラットディスプレイに適している。
【００３９】
有利には、支持体もしくは少なくとも照射側の表面は、ビーム吸収性に構成され、例えば黒色にされ（黒化）、それにより個々のビーム発光素子のコントラストを周辺よりも高める。このことは、特に表示装置として設けられている場合に有利な配置構成となる。
【００４０】
図６には本発明による構成素子のさらなる配置構成が示されている。この場合前述した配置構成と異なる点は、図６に示した配置構成が特にバックライト照明、例えば液晶表示のためのバックライト照明に適している点である。
【００４１】
支持体１９上には、前述の実施例と同じように本発明によるビーム発光素子が埋め込まれるように取付けられている。照射側ではこの支持体１９ないしは構成素子に後続するように制御プレート２２が配置されている。さらに支持体１９もしくはこの支持体１９の少なくとも照射側の表面は、有利には均質に拡散され反射的に構成され、例えば白色化されている。それによって特にフラット構造の十分に均質なバックライト照明装置が得られる。この制御プレートに続けて例えば照明すべき液晶表示（ＬＣＤ）２３が配置される。
【００４２】
支持体１９は、前述したように堅固にも、あるいはプラスチックシートやセラミックシートのようにフレキシブルにも構成することが可能である。そのためバックライトモジュールまたはディスプレイモジュールが種々異なった形態で簡単に適応化でき、有利には、変化のある面にも問題なく組み付けることが可能である。
【００４３】
図面に示された実施例に基づいて説明してきた本発明の内容は、もちろん本発明の限定を意図したものではない。例えば接着剤でチップを直接チップ支持体のチップ取付け面に取付けてもよいし、チップを専らワイヤリング接続を用いて導体路と電気的に接続させることも可能である。またチップはチップ支持体内に埋め込まれている別個の断熱的端子に取付けて、導体路とワイヤリング接続で導電的に接続してもよい。これらのすべての実施形態は、本発明の基本的な考察を逸していない。
【図面の簡単な説明】
【図１】本発明による発光ダイオード素子の平面図を概略的に示した図である。
【図２】図１の発光ダイオード素子の断面図を概略的に示した図である。
【図３】本発明による発光ダイオード素子の別の実施例の平面図を概略的に示した図である。
【図４】図３による発光ダイオード素子の断面図を概略的に示した図である。
【図５】複数の本発明による構成素子を備えたモジュールを概略的に示した図である。
【図６】複数の本発明による構成素子を備えたバックライト装置を有する液晶表示装置の断面図を概略的に示した図である。
【国際公開パンフレット】
2004507114.tif 000003
2004507114.tif 000004
2004507114.tif 000005
2004507114.tif 000006
2004507114.tif 000007
2004507114.tif 000008
2004507114.tif 000009
2004507114.tif 000010
2004507114.tif 000011
2004507114.tif 000012
2004507114.tif 000013
2004507114.tif 000014
2004507114.tif 000015
2004507114.tif 000016
2004507114.tif 000017
2004507114.tif 000018
【国際調査報告】
2004507114.tif 000019
2004507114.tif 000020
2004507114.tif 000021
2004507114.tif 000022
2004507114.tif 000023
2004507114.tif 000024
2004507114.tif 000025
2004507114.tif 000026
2004507114.tif 000027
2004507114.tif 000028